(57)【特許請求の範囲】
【請求項１】
容器本体（１）から露出する露出部（２１）を有する流体吐出部（２）と，
前記流体吐出部（２）を，前記露出部（２１）が前記容器本体（１）から露出するように，前記容器本体（１）内の端部に保持する保持部（３）と，
前記露出部（２１）に対応する大きさの溝部（４１）を有する保護部（４）と，
前記溝部（４１）が，前記露出部（２１）を覆うように，前記保護部（４）を，前記保持部（３）に連結する連結部（５）とを含み，
前記連結部（５）は，前記保持部（３）及び前記保護部（４）より，素材の厚みが薄くなっており，
前記保護部（４）に対して力を加えることで，前記連結部（５）が破損し，前記流体吐出部（２）の露出部（２１）が露出される
流体吐出部材。
【請求項２】
前記流体吐出部（２）は，前記容器本体（１）内の流体を，前記容器本体（１）の外部へ吐出するための，前記流体吐出部（２）の中心軸に沿って設けられた流路（２２）を有し，
前記流路（２２）は，前記容器本体（１）の内側から外側にすすむにつれて，先細となっている
請求項１に記載の流体吐出部材。
【請求項３】
前記流体吐出部（２）の露出部（２１）は，円錐台形状に隆起しており，
前記流体吐出部（２）の流路（２２）は，先細となる部分を延長してできた円錐形の頂角が，鋭角である
請求項２に記載の流体吐出部材。
【請求項４】
前記流体吐出部（２）の露出部（２１）は，円錐台形状に窪んでおり，
前記流体吐出部（２）の流路（２２）は，先細となる部分を延長してできた円錐形の頂角が，鈍角である
請求項２に記載の流体吐出部材。
【請求項５】
前記流路（２２）は，前記流路（２２）を流通する流体の回転方向を制御する，回転溝（２２ａ）を有する
請求項４に記載の流体吐出部材。
【請求項６】
前記保持部（３）と前記保護部（４）は，前記連結部（５）を介して，一体成形されている
請求項１に記載の流体吐出部材。
【請求項７】
前記請求項１から請求項６のいずれかに記載の流体吐出部材を含む，
容器本体（１）。
【請求項８】
前記請求項１から請求項６のいずれかに記載の流体吐出部材と，
前記流体吐出部材を含むアンプル（１）と，
前記アンプル内に配置された可動栓（３００）と，
前記アンプル内の可動栓がアンプル内を進退するように可動させるピストン（４００）を含む，
流体放出装置。
【請求項９】
さらに，前記アンプル１内に，前記流体吐出部材に近接して配置されるデフレクターブロック（７００）を含み，
前記デフレクターブロック（７００）は，前記アンプル１内の内壁と略同径の外周壁を有し，
前記外周壁には，分流溝（７１０）が形成されている
請求項８に記載の流体放出装置。
【発明の詳細な説明】
【技術分野】
【０００１】
本発明は，容器本体から一部が露出するように容器本体内に設けられた流体吐出部材に関する。
本発明は，例えば，無針注射や噴霧器に用いられるアンプル内に設けられる流体吐出部材に関する。
【背景技術】
【０００２】
近年，注射針を有する注射器に代わるものとして，無針注射器が知られている。従来の無針注射器は，バイヤルから注射筒内に薬液を所定量吸引した後に，この薬剤を吸い込んだ注射筒を注入器に取り付け直す。その後，所定箇所に注射器を当てて薬剤を発射することにより，薬剤を高速で押し出して投与する。このように，薬剤を吸引し薬剤を発射するまでの注射器の取り扱いは煩雑である。また，薬剤を適量吸引して投与することは，必ずしも容易ではない。さらに，開口面にはウィルスなどが付着し，繁殖する可能性があり衛生面上の問題がある。そこで，１回投与する分の薬剤ごとに密封された薬剤を用意し，投与ごとに開封して投与することが好ましい。【０００３】
このような無針注射器に用いられる使い捨てアンプルは，WO２００８／０５６４４２号公報に開示されている。このアンプルは，密封容器端部と容器本体部が別素材で形成されている。そして，容器本体部内に薬液が充填された後に，密封容器端部が，容器本体部に取り付けられ，容器本体部を密封する。また，密封容器端部は，アンプルを用いて薬液を投与する際に取り外される先端部を有する。アンプルは，容器本体部から密封容器端部の先端部の途中まで延びる連続した空間部を有し，先端部が取り外されると連続した空間部が開放端となり，薬液を噴出することができる。また，密封容器端部の先端部は，劈開により取り外される。【０００４】
しかしながら，このような無針注射器用のアンプルのように，構成物品が微少なものである場合，容器本体部に密封容器端部を外部から嵌合するためには，正確で細かい作業が必要となる。従って，このようなアンプルを歩留まり良く製造するためには精密さが要求され，その製造装置も高価なものとなり易くなる。【０００５】
また，使用に際して密封容器端部の先端部を取り外すとき，先端部に対して横方向から力を加える必要がある。このように，容器本体部に密封容器端部を外部から嵌合することとすると，先端部に対して力を加えたときに，密封容器端部とアンプルの嵌合部との間にズレが生じ，密封が保たれなくなり，液漏れの原因となる。【０００６】
また，無針注射用のアンプルは，容器本体部内の薬液を速いスピードで噴射するものであるため，噴射の際には薬液の噴射方向に高い圧力がかかることとなる。このため，容器本体部に密封容器端部を外部から嵌合する構造とすると，その製作精度が不満足な密封容器端部であった場合には，噴射の際の圧力によって容器本体部に取り付けられた密封容器端部が外れる可能性がある。【０００７】
また，このアンプルには，容器本体部から密封容器部の先端部の途中まで延びる連続した空間部を設けられ，劈開によって先端部を取り外すことで薬液の噴出口を形成することとしている。このような構成の場合，先端部を取り外すことで形成された噴出口周りの開口面を，患者の肌などに押し当てて，薬液を噴出することとなる。従って，密封容器部の先端部の劈開性が十分でなく，開口面にささくれ等が残るような場合，その開口面を押しつけた患者の肌を傷つけることとなっていた。【０００８】
また，このアンプルのように，先端部を取り外すことで生ずる断面を吐出口として利用すると、その吐出口の形状，すなわち凹凸や寸法（長さや口径）が変化して、流体の吐出が不安定になる可能性が考えられる。すなわち，無針注射器であれば、流体が表皮を貫通するためには，威力があり乱れのない極細い流体の流れが必要となる。また，噴霧器であれば、流体をきれいに霧状に広がるために，急激な絞り込みと開放を行う整った吐出口が必要となる。【０００９】
また，このようなアンプルは，密封容器段部の中に，例えば直径０．０１ｍｍ〜０．５ｍｍの細孔を貫通させずに片持ちで開口することとしており，これは難易度の高い細工と言える。
【先行技術文献】
【特許文献】
【００１０】
【特許文献１】WO２００８／０５６４４２
【発明の概要】
【発明が解決しようとする課題】
【００１１】
本発明は，容器本体に取り付けが容易な，流体吐出部材を提供することを目的とする。【００１２】
また，本発明は，流体が吐出する部分を保護する部材を，容易に取り外すことができる流体吐出部材を提供することを目的とする。【００１３】
また，本発明は，容器本体内に充填された流体を噴出する際であっても，流体が漏れることのない流体吐出部材を提供することを目的とする。【００１４】
また，本発明は，流体が吐出する部分を保護する部材の劈開性が十分でなく開口面にささくれが残った場合であっても，その開口面を押しつけた患者の肌を傷つけることのない流体吐出部材を提供することを目的とする。【００１５】
また，本発明は，容器本体に充填された流体の流路を，予め精度良く形成することができる流体吐出部材を提供することを目的とする。【００１６】
さらに，本発明は，上記流体吐出部材を含む，アンプルを提供することを目的とする。
【課題を解決するための手段】
【００１７】
本発明に係る流体吐出部材は，予め形成された流体の吐出口が露出するように，容器本体内に保持される。そして，露出する吐出口は，保護部によって保護される。このとき，保護部に設けられた空間部は，露出された吐出口を覆うようになっている。このような構成を有することにより，本発明に係る流体吐出部材は，容器本体内に安定して保持される。また，本発明に係る流体吐出部材の流路は，予め精度よく形成しておくことができるため常に所望の状態で流体を吐出させることができる。【００１８】
本発明に係る流体吐出部材１００（２００）は，流体吐出部２と，保持部３と，保護部４と，連結部５とを含む。流体吐出部２は，流体が収容される容器本体１から露出する露出部２１を有する。保持部３は，流体吐出部２の露出部２１が容器本体１から露出するように，流体吐出部２を，容器本体１内の一端部に保持する。保護部４は，流体吐出部２の露出部２１に対応する大きさの溝部４１を有する。連結部５は，保護部４の溝部４１が，流体吐出部２の露出部２１を覆うように，保護部４と保持部３とを連結する。連結部５は，保持部３及び保護部４より，素材の厚みが薄くなっている。そして，保護部４に対して力を加えることで，連結部５が破損し，流体吐出部２の露出部２１が露出される。これにより，容器本体１から露出された流体吐出部２の露出部２１から，容器本体１内に収容される流体が，吐出する。【００１９】
このような構成を有していることにより，本発明に係る流体吐出部材は，容器本体の一端から容器本体内に挿入し，容器本体の他端まで押し込むようにして，容器本体内に取り付けることができる。従って，容器密閉部を容器本体に対して外部から嵌合させるような精密な作業を省略することができる。これにより，流体吐出部材を容器本体に取り付けることが容易になる。【００２０】
また，本発明に係る流体吐出部材は，容器本体内に取り付けられている。これにより，流体吐出部材は安定する。従って，使用に際して，流体吐出部材に設けられた保護部を取り外すために，保護部に対し力を加えたとしても，流体吐出部材ごと外れてしまうことがない。【００２１】
また，本発明に係る流体吐出部材は，容器本体内の端部に取り付けられているため，容器本体内に充填された流体を吐出する際に，流体吐出部材に対して高い圧力がかかる場合であっても，流体吐出部材が容器本体から外れることがない。【００２２】
また，本発明に係る流体吐出部材は，流体吐出部の露出部が，保護部の溝部に覆われるように保護されている。このため，予め露出部の表面を美麗に形成しておくことができる。従って，使用に際して保護部が取り外されても，患者の肌に直接的に接触する露出部にささくれが残ることはない。【００２３】
本発明の好ましい態様においては，流体吐出部２の中心軸に沿って，容器本体１内の流体を容器本体１の外部へ吐出するための，流路２２が設けられる。そして，流路２２は，容器本体１の内側から外側にすすむにつれて，先細となっている。このような構成とすることにより，流路２２を流通して吐出される流体の吐出速度を上げることができる。【００２４】
本発明の好ましい態様は，流体吐出部２の露出部２１を，円錐台形状に隆起させる。また，流体吐出部２の流路２２の先細となる部分を延長してできた円錐形の頂角を，鋭角とする。例えば，本発明を無針注射器用のアンプルに用いるような場合，流体吐出部２の露出部２１が円錐台形状に隆起しているため，露出部２１を投薬される患者の肌により密着させることができる。なお，露出部２１は，予め開口面を美麗に形成することができ，かつ，保護部によって保護されているため，投薬される患者の肌を傷つけることがない。また，流体吐出部２の流路２２の先細となる部分を延長してできた円錐形の頂角を，鋭角とすることにより，吐出される流体の進入速度を上げることができる。従って，本発明の好ましい態様に係る流体吐出部材は，例えば無針注射器のような，より高い流体吐出速度を要求するもののアンプル内に適用することができる。【００２５】
本発明の好ましい態様は，流体吐出部２の露出部２１を，円錐台形状に窪ませる。また，流体吐出部２の流路２２の先細となる部分を延長してできた円錐形の頂角を，鈍角とする。例えば，本発明を流体噴霧用のアンプルに用いるような場合，流体吐出部２の露出部２１が円錐台形状に窪んでいるため，容器本体内の流体をより広範囲に噴霧することができる。また，流体吐出部２の流路２２の先細となる部分を延長してできた円錐形の頂角が，鈍角であるため，急激に絞り込まれた流体が連続して開放されることとなる。従って，容器本体内の流体をより広範囲に噴霧させることができる。【００２６】
本発明の好ましい態様は，流路２２を流通する流体の回転方向を制御する回転溝２２ａを，流路２２の内壁に設ける。図６（ａ）及び（ｂ）は，回転溝２２ａが３つ設けられた流路の例を示している。回転溝２２aは，例えば，３つ，４つ，５つ，又はそれ以上設けることとしてもよい。このような構成を有することにより，本発明は，流路２２を流通する流体を回転させることができる。従って，例えば，本発明を流体噴霧用のアンプルに用いる場合，流路２２を流通する流体が吐出口から回転方向に広がって噴霧されるため，より広範囲に流体を噴霧することができる。なお，回転溝２２ａは，流路２２の内壁の一部を窪ませることにより形成することとしてもよいし，流路の内壁一部を隆起させることにより形成することとしてもよい。また，回転溝２２ａは，流路２２（流体吐出部２）と同一の素材で一体形成することとしてもよいし，流路２２（流体吐出部２）とは別の素材で形成することとしてもよい。【００２７】
本発明の好ましい態様は，保持部３と保護部４を，連結部５を介して，一体成形する。このように一体成形することにより，容器本体内の気密性を高めることができるため，衛生面において好ましい。また，素材加工上の問題がなければ，容器本体１，保持部３，保護部４，及び連結部５を一体形成するアンプルとしてもよい。【００２８】
本発明の他の側面は，本発明に係る流体吐出部材を含むアンプルである。【００２９】
本発明の他の側面は，本発明に係る流体吐出部材を含む流体放出装置である。本発明の他の側面に係る流体放出装置は，流体吐出部材と，流体吐出部材を含むアンプル１と，アンプル内に設置された可動栓３００と，アンプル内の可動栓がアンプル内を進退するように可動させるピストン４００を含む。【００３０】
本発明の他の側面に係る流体放出装置は，さらに，アンプル１内に，流体吐出部材に近接して配置されるデフレクターブロック７００を含むことが好ましい。デフレクターブロック７００は，アンプル１内の内壁と略同径の外周壁を有しており，その外周壁には，分流溝７１０が形成されている。デフレクターブロク７００は，可動栓３００により圧力が負荷された容器本体内の流体を分流するための部材である。分流された流体は，流体吐出口２３から吐出される際に，互いに干渉し合い，噴霧状態となる。デフレクターブロック７００は，アンプル内に装填されて使用されるものであり，アンプル内の流体が，分流溝７１０以外から流通することがないように，アンプル内の内壁と同口径又は略同口径で形成される。
【発明の効果】
【００３１】
本発明によれば，容器本体に取り付けが容易な流体吐出部材を提供することができる。【００３２】
本発明によれば，流体が吐出する部分を保護する部分を，容易に外すことができる流体吐出部材を提供することができる。【００３３】
また，本発明によれば，容器本体内に充填された流体を噴出する際であっても，流体が漏れることのない流体吐出部材を提供することができる。【００３４】
また，本発明によれば，流体が吐出する部分を保護する部材の劈開性が十分でなく開口面にささくれが残った場合であっても，その開口面を押しつけた患者の肌を傷つけることのない流体吐出部材を提供することができる。【００３５】
また，本発明によれば，適切な状態で流体を吐出することができる流体吐出部材を提供することができる。【００３６】
また，本発明によれば，容器本体に充填された流体の流路を容易に形成することができる流体吐出部材を提供することができる。【００３７】
【図面の簡単な説明】
【００３８】
【図１】図１は，本発明の第１の実施の形態に係る流体吐出部材を，容器本体に取り付けた例を示す概略図である。
【図２】図２は，本発明の第１の実施の形態に係る流体吐出部材の組み立て構成を示す図である。
【図３】図３は，本発明の第１の実施の形態において，流体が吐出する様子を示す図である。
【図４】図４は，本発明の第１の実施の形態において，流体吐出部材から保護部を取り外した様子を示す概略図である。
【図５】図５は，本発明の第２の実施の形態に係る流体吐出部材を，容器本体に取り付けた例を示す概略図である。
【図６】図６は，本発明の第２の実施の形態に係る流体吐出部材の組み立て構成を示す図である。
【図７】図７は，本発明の第２の実施の形態において，流体が吐出する様子を示す図である。
【図８】図８は，本発明の第２の実施の形態において，流体吐出部材から保護部を取り外した様子を示す概略図である。
【図９】図９は，本発明に係る流体吐出部材が適用された流体放出装置の例を示す図である。
【図１０】図１０は，デフレクターブロックを備える流体放出装置の例を示す概略図である。
【図１１】図１１（ａ）は，デフレクターブロックの例を示す正面図である。図１１（ｂ）は，デフレクターブロックの例を示す平面図である。
【発明を実施するための形態】
【００３９】
以下，本発明を実施するための形態について説明する。以下に説明する本発明の実施の形態は例であって，本発明は，以下の例に限定されるものでなく，本明細書から当業者にとって自明な範囲で修正したものを含む。
【００４０】
（１．第１の実施の形態）
図１は，本発明の第１の実施の形態に係る流体吐出部材１００の基本構成を示す概略図である。本発明の第１の実施の形態は，例えば，無針注射器のような，容器本体内の流体を，勢いよく一点に集中させて吐出することを要する器具の容器本体内に取り付けられる流体吐出部材に関する。
【００４１】
図１に示されるように，流体吐出部材１００は，流体吐出部２と，保持部３と，保護部４と，連結部５とを有する。流体吐出部２は，流体が収容される容器本体１から露出する露出部２１を有する。保持部３は，流体吐出部２の露出部２１が容器本体１から露出するように，流体吐出部２を，容器本体１内の一端に保持する。保護部４は，流体吐出部２の露出部２に対応する大きさの溝部４１を有する。連結部５は，保護部４の溝部４１が，流体吐出部２の露出部２１を覆うように，保護部４と保持部３とを連結する。連結部５は，保持部３及び保護部４より，素材の厚みが薄くなっている。そして，保護部４に対して力を加えることで，連結部５が破損し，流体吐出部２の露出部２１が露出される。これにより，容器本体１から露出された流体吐出部２の露出部２１から，容器本体１内に収容される流体が，吐出するようになる。
【００４２】
図１に示されるように，流体吐出部２と，保持部３，保護部４，及び連結部５は，すべて同軸上に配置されることが好ましい。また，流体吐出部材１００と，容器本体１が，同軸となるように配置されることが好ましい。さらに，素材の加工上や使用上の問題がなければ，容器本体１と流体吐出部材１００を一体成型することもできる。
【００４３】
また，図２は，本発明の第１の実施の形態に係る流体吐出部材１００の組み立て構造を示す概略図である。図２（ａ）は，保持部３と保護部４が連結部５によって一体となっている部材（ソケット部材）に対して，流体吐出部２が嵌め込まれた図を示している。すわわち，図２（ｃ）に示す流体吐出部材２を，図２（ｂ）に示すソケット部材の底部から嵌め込むことにより，図２（ａ）に示す流体吐出部材１００が形成される。なお，図２（ａ'），（ｂ'），及び（ｃ'）は，それぞれ，図２（ａ），（ｂ），及び（ｃ）の底面図を示している。
【００４４】
（１−１．容器本体）
図１に示すように，流体吐出部材１００は，容器本体１の内部に取り付けられている。この，容器本体１は，例えば，無針注射器に用いられるアンプルであってもよい。また，容器本体１は，流体吐出部材１００が取り付けられた端部と反対側の端部が，流体を供給する供給源（例えば蛇口）と結合する筒状の部材であっても良い。
【００４５】
容器本体１には，その内部に流体を容れることが予定されている。容器本体１内に容れられる流体は，薬液であってもよい。なお，容器本体部には，比較的弾力性に富む樹脂を用いることで，クラックが生ずる事態を効果的に防止することができる。本発明の好ましい態様における容器本体１は，カートリッジ式のアンプルである。すなわち，このアンプルは，無針注射ユニットなどに挿入され，このアンプルを使用した後は別のアンプルと交換するものである。
【００４６】
（１−２．流体吐出部）
流体吐出部２は，容器本体１内に充填される流体を吐出するための部材である。流体吐出部２には，容器本体１内に充填される流体を吐出するための流路２２が設けられる。流路２２は，流体吐出部２に一つ設けられてもよいし，複数設けられることとしても良い。また，流体吐出部２を，スポンジのような吸水性のある部材で構成し，容器本体１内の流体が一端から吸収され，他端から染み出すように吐出されることとしても良い。
【００４７】
図１は，流体吐出部材１００が，無針注射器のような容器本体内の流体を勢いよく一点に集中させて吐出することを要する器具に取り付けられた例を示す図である。流体吐出部２には，流体吐出部２の中心軸に沿って一の流路２２が貫通形成される。貫通形成された流路２２は，その両端が開放端とされ，容器本体外側が流体吐出口２３となる。流体吐出口２３の口径は，０．０１〜０．１５ｍｍ，０．１ｍｍ〜０．３ｍｍ，０．１５ｍｍ〜０．２５ｍｍ又は０．２ｍｍであってもよい。流路２２は，流体吐出部２の容器本体内側から流体吐出口２３側に進むにつれて先細となっていることが好ましい。また，流路２２の先細となる部分を延ばしてできた円錐形の頂角は，鋭角となっていることが好ましい。換言すると，貫通形成された流路２２の空間を延ばしてできた円錐形の頂角が，鋭角となっていることが好ましい。
【００４８】
流路を形成する円錐形の頂角は，例えば１度〜４５度があげられ，好ましくは５度〜３０度であり，より好ましくは１０度〜２０度であるが，５度〜１０度であってもよい。流体力学的な観点からは頂角（絞り）を１５度程度とすれば，損失を小さくすることができると考えられている。このような角度であれば，流体を調整し，流路２２を流通する流体の流通速度を上げることができる。また，円錐形の頂角の角度を調節することにより，流体の貫通力や進入速度を調整することができる。例えば，無針注射器の場合であれば，薬剤を皮膚のより深い部分へと注入することもできるし，皮膚の浅い部分へと注入することもできる。また，本発明の流体吐出部材１００が，無針注射器に用いられた場合，薬液が分布する範囲が広いと皮膚内の痛点を通過する可能性が高くなり，無痛ではなくなる可能性がある。そのような観点からは，円錐形の頂角を１度〜１０度，又は５度〜１０度としてもよい。
【００４９】
また，図３は，流路２２を流通する流体の流れの様子を示している。例えば，図３（ａ）に示すように，流路２２を形成する円錐形の頂角を４５度程度とした場合，流路２２を流通する流体は，吐出口２３から吐出する際に，互いに干渉し合い，ある程度散散して吐出される。従って，流路２２を形成する円錐形の頂角を４０度〜５０度としたものを，例えば無針注射器に用いる場合，皮膚の浅い箇所に薬剤を注入することができる。また，例えば，図３（ｂ）に示すように，流路を形成する円錐形の頂角を１５度程度とした場合，流路２２を流通する流体は，吐出口２３から吐出する際に，流れが収束されて集中して吐出される。また，図３（ｂ）に示す流体吐出部２の流路２２は，その全長が２．５ｍｍ〜３ｍｍ程度とされており，例えば無針注射器に用いる場合，軟質な皮膚を貫通させる適切な圧力で流体を吐出することができる。一方，図３（ｃ）に示す流体吐出部２の流路２２は，その全長が３．５ｍｍ〜４ｍｍ程度とされている。このような場合には，圧力損失が生じることとなるため流速を弱めることができる。このように，流路２２を形成する円錐形の頂角及び流路の全長を調整することにより，吐出される流体の性質及び圧力を制御することが可能である。なお，このように，流路２２の形状が微細に異なるだけでも，吐出口２３から吐出する流体の状態が大きく異なる。従来のアンプルは，先端部を取り外すことで生ずる断面を吐出口として利用していたが，これでは先端部を取り外す際に，吐出口の形状が破損等により変化してしまうため，アンプルの用途に応じた所望の状態で流体を吐出することが困難である。そこで，本発明に係る流体吐出部材１００のように，予め流路２２及び吐出口２３を精度よく形成しておき，それを保護部によって保護しておくことにより，常にアンプルの用途に応じた所望の状態で流体を吐出することができるように，流路２２及び吐出口２３の形状を維持しておくことができる。
【００５０】
また，流体吐出部２は，容器本体１及び保持部３とは別の素材で形成されることができる。また，流体吐出部２を形成する素材は，容器本体１及び保持部３を形成する素材と比較し，硬質なものを用いることができる。例えば，容器本体１及び保持部材３を比較的弾力性の富むシリコーン樹脂により形成した場合，流体吐出部２は，比較的強硬な樹脂やガラスを用いて形成することができる。従来の無針注射器ようのアンプルでは，これらの容器本体や流体吐出部は同じ素材で一体形成されていたが，本発明のように容器本体１及び保持部材３とは別に，流体吐出部を比較的強硬な素材で形成することにより，流路を流通する流体をより安定させることができる。すなわち，容器本体１内の流体を高圧で吐出させるためには，損失をなるべく小さくし，流路中の流れの剥離現象が生ずる事態をできる限り防止することが好ましいが，このように，流路を形成する素材が強硬なものであれば，流体が高圧で流路中を流通したとしても剥離現象を防止することができる。
【００５１】
流体吐出部２は，容器本体１から露出する露出部２１を有する。図１において，露出部２１は，流体吐出口２３を中心に，円錐台形状に隆起している。円錐台形状の部分の高さは，例えば流体吐出部２全体の１０％〜９０％があげられ，２０％〜８０％，３０％〜７０％でもよい。また台形の頂角の角度は，例えば１００度〜１７０度があげられ，１２０度〜１５０度，１３０度〜１４０度でもよい。このように，露出部２１が，流体吐出口２３を中心に円錐台形状に隆起させることにより，例えば，本発明の流体吐出部材１００が無針注射器に用いられる場合に，露出部２１の中心に位置する流体吐出口２３を，より皮膚に密着させることができる。従って，流体吐出口２３から薬剤を漏らさずに，皮膚内に薬液を注入することができる。
【００５２】
流体吐出部２の容器本体内側の端部には，フランジが形成されている。このフランジを保持部３に押しつけるようにして，流体吐出部２の胴体を，円筒状に形成された保持部３の中空空間に挿入する。このようにして，流体吐出部２と保持部３を結合させることとしてもよい。
【００５３】
（１−３．保持部）
図１に示すように，保持部３は，流体吐出部２の露出部２１が容器本体１から露出するよう，流体吐出部２を容器本体１内に保持する。保持部３は，円筒状に形成され，胴体部３１，胴体部上部３２，窪み部３３からなる。胴体部上部３２の直径は，胴体部３１の直径より小さくなっている。容器本体１の開放端側の開放部は，保持部３の胴体部上部３２の直径と略同径の開放部とされており，この容器本体１の開放部に，保持部３の胴体上部３２が押し込まれるようにして嵌着される。このような構成であれば，容器本体１に保持部３（流体吐出部材１００）を取り付けることが容易である。また，保持部３の窪み部３３は，胴体部３１の外周壁が一部欠けるように形成されている。この保持部３の窪み部３３に対応して，容器本体１の内壁は，一部突起するように形成されている。従って，保持部３の胴体上部３２が，容器本体１の開放部に押し込まれるようにして嵌着された際，保持部３の窪み部３３に，容器本体の突起部が嵌り込むようになっている。このようにして，保持部３を，容器本体１内に取り付けることとしてもよい。なお，素材の加工上や使用上の問題がなければ，容器本体１と保持部３を一体成型することとしても良い。
【００５４】
保持部３の容器本体内側の端部は，保持している流体吐出部２の流路２２を中心として，円弧状に窪むように形成されていても良い。また。保持部３の一端部が円弧状に窪んでいることに対応して，これに保持される流体吐出部２の一端部を円弧状に窪ませることとしてもよい。また，保持部３の容器本体内側の端部は，保持している流体吐出部２の流路２２を中心として，多角形状に窪むように形成されていても良い。このように，円弧状又は多角形状に窪むように形成されていることにより，保持部３により保持される流体吐出部２の流路２２に，容器本体１内の流体が流れ込み易くなる。また，容器本体１内の流体を押し出す部材の形状（例えば，図９に示す可動栓３００の端部の形状）に，対応させた形状とすることにより，容器本体１内の流体を完全に吐出させることができる。
【００５５】
保持部３の胴体部上部３２の上面は，接続部５を介して，保護部４と連結されている。保持部３と保護部４は，接続部を介して，一体的に形成されていることが好ましい。
【００５６】
（１−４．保護部）
図１に示すように，保護部４は，流体吐出部２の露出部２１を保護するために設けられ，使用に際して取り外される。図４は，保護部４が，流体吐出部材から取り外された様子を示す図である。流体吐出部２の露出部２１からは流体が吐出し，しかも，露出部２１は直接患者の肌に触れる可能性があるため，菌や汚れが付着しないように，密閉状態で保護することが好ましい。保護部４は，流体吐出部２の露出部２１に対応した大きさの溝部４１を有する。「露出部２１に対応した大きさ」とは，溝の深さ及び溝の直径が，露出部２１が隆起する高さ及び露出部２１の直径に対応しているという意味である。溝部４１の溝の深さは，露出部が隆起するものである場合に，その隆起した高さと略同一又はそれ以上であればよい。溝部４１の深さは、露出部２１の装填の際に不都合が生じず、保護部４を取り外す際に露出部２１に損傷を生じたりしないような十分な深さであることが好ましい。例えば、溝部４１の深さは、露出部の隆起した高さの2倍程度であることが好ましい。また、溝部４１の溝の直径は、同様の不都合や損傷が生じないように、露出部の直径と略同一又はそれ以上であればよい。例えば，溝部４１の溝の直径は，流体吐出部２の胴体の直径と等しいものであることが好ましい。また，溝部４１の形状の例は，円弧状又は多角形状に窪んだものである。流体吐出部２３が，円錐台形状に隆起したものである場合，これに対応して，溝部４１の形状は，円錐台形上に窪むように形成することとしてもよい。
【００５７】
図１に示すように，保護部４は，溝部４１を除き，その胴体を中実構造の円柱形状で形成することとしても良い。また，保持部３と連結された端部と逆側の端部を半球形状に形成することとしてもよい。保護部４は，図４に示すように，使用に際して取り外される。保護部４は，摘まんでねじ切るようにして取り外すことができることとしてもよい。また，保護部４は，保護部４の中心軸に対して，横方向から力を加えることで取り外すことができることとしてもよい。また，保護部４は，壁かい性により保持部３から取り外すことができることとしてもよい。保護部４は，このようにして流体吐出部材１００から取り外されるため，使用に際して取り外しを行い易いように，その胴体部を形成することが好ましい。例えば，溝部４１を除き，保護部４を中実構造とすることにより，取り外す際に胴体部が摘まれたとしても，保護部４の形状が変化することがなくなるため，摘む力を加え易くなる。また，保護部４の外壁表面に公知の滑り止め加工を施すこととしてもよい。また，保護部４の胴体の直径の例としては，１ｍｍ〜５ｍｍ，２ｍｍ〜４ｍｍ，又は３ｍｍ〜３．５ｍｍがあげられる。
【００５８】
（１−５．連結部）
図１に示すように，保持部３と保護部４は，保護部４の溝部４１が，流体吐出部２の露出部２１を覆うように，連結部５によって連結される。連結部５の厚みは，保持部３及び保護部４の厚みより，薄くなっていることが好ましい。また，図１に示すように，保護部４のうち，保持部３と連結する箇所に，保護部４の外周壁に対して上斜め方向から切れ目を入れることにより，連結部５が形成されることとしてもよい。このように，連結部５を形成する素材の厚みが，保持部３を形成する素材の厚みと保護部４を形成する素材の厚みと比較して薄くなっていることにより，保護部４は保持部３から取り外されやすくなる。また，連結部５は，保護部４の溝部４１を形成する保護部４の内周壁に対し切れ目を入れることにより，形成されるものであってもよい。連結部５の角度，すなわち，保持部３の上面と保護部４に対して上斜め方向から入れられた切れ目のなす角度は，例えば，１０度〜６０度，２０度〜５０度，又は３０度〜４０度であってもよい。また，連結部５は，保護部４の中心軸に対して横方向からの力が加えられた際に，劈かい性により破損するものであってもよい。
【００５９】
保持部３と保護部４は，連結部５を介して，一体的に形成されていることが好ましい。保持部３と保護部４は，予め一体的に形成されているものであってもよい。また，保持部３と保護部４を別々に形成した後，例えば，溶接のような手段を用いて一体的に形成することとしてもよい。
（２．第２の実施の形態）
【００６０】
図５は，本発明の第２の実施の形態に係る流体吐出部材２００の基本構成を示す概略図である。図５は，例えば経鼻投与装置（噴霧器）のような，容器本体内の流体を，広範囲に噴霧することを要する器具の容器本体内に取り付けられる流体吐出部材である。なお，本発明の第２の実施の形態についての説明において，前述の本発明の第１の実施の形態に関する説明と重複する箇所については，これを引用して，説明を省略する。
【００６１】
図５に示されるように，流体吐出部材２００は，流体吐出部２と，保持部３と，保護部４と，連結部５とを有する。流体吐出部２は，流体が収容される容器本体１から露出する露出部２１を有する。保持部３は，流体吐出部２の露出部２１が容器本体１から露出するように，流体吐出部２を，容器本体１内の一端部に保持する。保護部４は，流体吐出部２の露出部２に対応する大きさの溝部４１を有する。連結部５は，保護部４の溝部４１が，流体吐出部２の露出部２１を覆うように，保護部４と保持部３とを連結する。連結部５は，保持部３及び保護部４より，素材の厚みが薄くなっている。そして，保護部５に対して力を加えることで，連結部５が破損し，流体吐出部２の露出部２１が露出される。これにより，容器本体１から露出された流体吐出部２の露出部２１から，容器本体1内に収容される流体が，吐出するようになる。
【００６２】
また，図６は，本発明の第２の実施の形態に係る流体吐出部材２００の組み立て構造を示す概略図である。図６（ａ）は，保持部３と保護部４が連結部５によって一体となっている部材（ソケット部材）に対して，流体吐出部２が嵌め込まれた図を示している。すわわち，図６（ｃ）に示す流体吐出部材２を，図６（ｂ）に示すソケット部材の底部から嵌め込むことにより，図６（ａ）に示す流体吐出部材２００が形成される。なお，図６（ａ’），（ｂ’），及び（ｃ’）は，それぞれ，図６（ａ），（ｂ），及び（ｃ）の底面図を示している。
【００６３】
（２−１．容器本体）
流体吐出部材２００は，容器本体１の内部に取り付けられている。この，容器本体１は，例えば，経鼻投与装置に用いられるアンプルであってもよい。また，流体吐出部材２００が取り付けられた端部と反対側の端部が，流体を供給する供給源（例えば蛇口）と結合する筒状の部材であっても良い。
【００６４】
（２−２．流体吐出部）
流体吐出部２は，容器本体１内に充填される流体を吐出するための部材である。図５に示すように，流体吐出部２には，流体吐出部の中心軸に沿って，流路２２が貫通形成されている。図１に示す，第１の実施の形態と比較し，流路２２は，幅広に形成されている。貫通形成された流路２２は，その両端が開放端とされ，容器本体外側が流体吐出口２３となる。流体吐出口２３の直径は，０．０１ｍｍ〜０．１５ｍｍ，０．１ｍｍ〜０．３ｍｍ，０．１５ｍｍ〜０．２５ｍｍ又は０．２ｍｍであってもよい。流路２２は，流体吐出部２の容器本体内側から流体吐出口２３側に進むにつれて先細となっている。また，流路２２の先細となる部分を延ばしてできた円錐形の頂角は，鈍角となっている。換言すると，貫通形成された流路２２の空間を延ばしてできた円錐形の頂角が，鈍角となっている。この円錐形の頂角は，例えば９０度〜１７０度があげられ，好ましくは１００度〜１６０あり，より好ましくは１１０度〜１５０度である。このような角度であれば，流体を調整し，流路２２における流体の流通速度を遅くすることができ，流体をより広範囲に噴霧することができる。すなわち，薬剤を噴霧する噴霧器の場合であれば，より広範囲の患部に薬剤を塗布することができる。
【００６５】
流体吐出部２は，容器本体１及び保持部３とは別の素材で形成される。流体吐出部２を形成する素材は，容器本体１及び保持部３を形成する素材と比較し，硬質な樹脂やガラスを用いて形成することが好ましい。
【００６６】
また，図６（ａ'）及び図６（ｃ'）に示すように，流体吐出部２の流路２２には，その内壁に流体の流れの回転方向を制御するための回転溝２２ａを形成することとしてもよい。すなわち，流路２２に溝を設けることにより，流体はその溝に沿って流通することとなる。従って，流体を溝に沿って流通させることで，流路２２に侵入してきた流体を回転させるように流体の流れを変化させることができる。流路２２には，その内壁に，流体の進行方向に対して所定の角度傾斜した回転溝２２ａを複数形成することにより，流体の回転方向を制御してもよい。回転溝２２ａの傾斜の角度としては，例えば，５度〜４５度，１０〜４０度，１５度〜３５度があげられる。また，流路２２は，その内壁に，螺旋状に旋回した回転溝を形成することにより，流体の回転方向を制御することとしてもよい。このような回転溝を設けることにより，流路を流通する流体を渦状に回転させることができる。渦状に回転した流体は，流体吐出口２３から吐出する際に，回転方向に広がるように，吐出されることとなるため，より広範囲に容器本体１内の流体を噴霧することができる。
【００６７】
図５に示すように，流体吐出部２は，容器本体１から露出する露出部２１を有する。本発明の第２の実施の形態においては，露出部２１は，流体吐出口２３を中心に，円錐台形状に窪んでいる。すなわち，流体吐出口２３から，流体が吐出される方向に向かうに連れて，幅広となっている。この円錐台形に窪む部分を延ばしてできた円錐形の頂角は，例えば９０度〜１７０度があげられ，好ましくは１００度〜１６０あり，より好ましくは１１０度〜１５０度である。また，この円錐形の頂角は，流路２２の先細となる部分を延ばしてできた円錐形の頂角と等しいことが好ましい。露出部２１が，流体吐出口２３を中心に円錐台形状に窪んでいることにより，露出部２１の中心に位置する流体吐出口２３から，吐出される流体を，より広範囲に噴霧することができる。従って，流体吐出口２３から噴霧された薬剤を患部の広範囲に塗布することができる。
【００６８】
図７においては，本発明の第２の実施の形態に係る流体吐出部２から，容器本体内の流体が吐出する様子を示している。まず，図７（ａ）においては，流体の流通する流路２２が，流体吐出部２を形成する素材の厚みの分だけ，一部直線的となっている。従って，流路２２の内側壁に沿う形で流体吐出口２３に収束された流体が，最終的に一部直線的となった流路を流通することとなるため，流体は，流体吐出口２３から程度集中的に吐出される。また，図７（ｂ）においては，流体吐出口２３の形状が円錐台形状に窪むように形成されている。換言すると，流体吐出口２３の形状が，流体の進行方向に対して幅広となっている。このように，流体吐出口２３を形成する流体吐出部２２の素材に下斜め方向の切れ込みを入れることによって，流体吐出口２３から吐出された流体が散散して吐出（噴霧）しやすいようになっている。従って，流体吐出口２３から吐出する流体は，ある程度の広がりをもって吐出される。また，図７（ｃ）においては，流体吐出口２３を形成する流体吐出部２の素材に水平方向に切り込みが入れられ，流体吐出口２３が１８０度開かれたものとなっている。このように，流体吐出口２３は，流体吐出口２３から吐出される流体の広がりを遮るものがなくなるように形成されており，ここから吐出する流体を，より広く散散させることができる。このように，流体吐出口２３の形状を調整することにより，吐出する流体の状態を，流体吐出部材２００の用途に応じた所望の状態とすることができる。なお，このように，吐出口２３の形状が微細に異なるだけでも，吐出される流体の状態が大きく異なることとなる。従来のアンプルは，先端部を取り外すことで生ずる断面を吐出口として利用していたが，これでは先端部を取り外す際に，吐出口の形状が破損等により変化してしまうため，アンプルの用途に応じた所望の状態で流体を吐出することが困難であった。そこで，本発明に係る流体吐出部材２００のように，予め流路２２及び吐出口２３を精度よく形成しておき，それを保護部によって保護しておくことにより，常にアンプルの用途に応じた所望の状態で流体を吐出することができるように，流路２２及び吐出口２３の形状を維持しておくことができる。
【００６９】
図５において，流体吐出部２は，テーパー形状となっている。流体吐出部２は，テーパーとなっている斜辺部分を保持部３に押し付けるようにして，保持部３と結合している。また，流体吐出部２の容器本体内側の端部にフランジを設け，フランジを保持部３に押しつけるようにして，流体吐出部２と保持部３を結合させることとしてもよい。
【００７０】
（２−３．保持部）
図５に示すように，保持部３は，流体吐出部２の露出部２１が，容器本体１から露出するように容器本体１内に保持する。容器本体１の開放端側の開放部は，保持部３の胴体部上部３２の直径と略同径の開放部とされており，この容器本体１の開放部に，保持部３の胴体上部３２が押し込まれるようにして嵌着される。また，保持部３の胴体上部３２が，容器本体２の開放部に押し込まれるようにして嵌着された際，保持部３の窪み部３３に，容器本体の突起部が嵌り込むようになっている。これにより，保持部３は，容器本体１内に取り付けられる。
【００７１】
保持部３の胴体部上部３２の上面は，接続部５を介して，保護部４と連結されている。保持部３と保護部４は，接続部を介して，一体的に形成されていることが好ましい。
【００７２】
（２−４．保護部）
図５に示すように，保護部４は，流体吐出部２の露出部２１を保護するために設けられ，使用に際して取り外される。図８は，保護部４が流体吐出部材２００から取り外された様子を示している。流体吐出部２の露出部２１からは流体が吐出するため，露出部２２に菌や汚れが付着しないように，露出部２１を密閉状態で保護することが好ましい。保護部４は，流体吐出部２の露出部２１に対応した大きさの溝部４１を有する。本発明の第２の実施の形態において，露出部２１は突出するものではないため，溝部４１の溝の深さは，露出部２１に対応させる必要はない。例えば，溝部４１の深さは，０．５ｍｍ〜２ｍｍ，０．５ｍｍ〜１ｍｍであってもよい。また，溝部４１の溝の直径は，露出部２１の窪み部の直径と略同一又はそれ以上であればよい。溝部４１の形状の例は，円弧状又は多角形状に窪んだものである。
【００７３】
図５に示すように，保護部４は，溝部４１を除き，胴体を中実構造の円柱形状で形成しすることとしてもよい。また，保護部４は，保持部３と連結された端部と逆側の端部を半球形状に形成することとしてもよい。
【００７４】
（２−５．連結部）
保持部３と保護部４は，保護部４の溝部４１が，流体吐出部２の露出部２１を覆うように，連結部５によって連結される。連結部５の厚みは，保持部３及び保護部４の厚みより，薄くなっている。
【００７５】
保持部３と保護部４は，連結部５を介して，一体的に形成されていることが好ましい。保持部３と保護部４は，予め一体的に形成されているものであってもよい。また，保持部３と保護部４を別々に形成した後，例えば，溶接のような手段を用いて一体的に形成することとしても良い。
【００７６】
（３．使用例）
次に，本発明に係る流体吐出部材１００（又は２００，以下同じ）の使用例について説明する。
図９は，本発明に係る流体吐出部材１００が容器本体（アンプル）１内に設けられた流体放出装置１０００を示す概略図である。図９（ａ）は，使用前の状態の流体放出装置を示し，図９（ｂ）は，使用の際の流体放出装置を示す。使用後の流体放出装置１０００の例は，無針注射器や噴霧器である。図９に示されるように，流体放出装置１０００は，アンプル１と，アンプル１内の端部に設置された流体吐出部材１００と，アンプル１内に設置された可動栓３００と，アンプル１内の可動栓３００がアンプル１内を進退するように可動させるピストン４００と，ピストン４００をアンプル１に保持するホルダー５００と，ホルダー５００によって固定されピストン４００を押下するに際して握られるグリップ６００を有する。
【００７７】
アンプル１内に薬剤が収容された際，アンプル１，流体吐出部材１００及び可動栓３００は密閉系を構成する。このため，アンプル１，流体吐出部材１００及び可動栓３００は，薬剤を収容したアンプル容器として機能する。
【００７８】
図９に示されるように，ピストン４００は，支柱４０１と，支柱４０１と接続されたピストン台４０２とを有する。ピストン台４０２には，ばね部４０３が固定されている。支柱４０１の先端は，可動栓３００と接触する。そして，支柱４０１が移動すると，可動栓３００も連動して移動する。
【００７９】
図１０は，本発明に係る流体放出装置１０００に備えられたデフレクターブロック７００を示す図である。デフレクターブロック７００は，流体放出装置１０００の容器本体１内に，流体吐出部材２に近接又は密着して配置される。デフレクターブロック７００は，可動栓３００により圧力が負荷された容器本体内の流体を分流するための部材である。可動栓３００により押し出される流体は，デフレクターブロック７００の外周部に設けられた分流溝７１０に沿う形で分流され，分流溝７１０と容器本体の側壁に沿う形で流通し，流路２２に設けられた回転溝２３に沿って流体吐出口２３へと収束される。従って，分流された流体は，流体吐出部２の流路２２の急激な絞り込み（オリフィス）によって流体自体が互いに干渉し合うこととなり，流体吐出口２３から吐出する際に，噴霧状態となって外部へ吐出される。
【００８０】
図１１は，デフレクターブロック７００の構成の例を示す概略図である。図１１（ａ）は，デフレクターブロック７００の正面図を示し，図１１（ｂ）はデフレクターブロック７００の平面図を示している。また，図１１（ｃ）はデフレクターブロック７００の変形例を示している。デフレクターブロック７００は，ブロック本体の外周部に設けられた分流溝７１０と，一端に設けられた分流面７２０と，分流面７１０とは他端に設けられた緩衝部７３０を備える。デフレクターブロック７００は，分流面７２０を可動栓３００に対向させるように容器本体内に配置される。デフレクターブロック７００は，アンプル本体内に装填されて使用されるものであり，アンプル内の流体が分流溝７１０以外を流通することがないように，デフレクターブロック７００の外壁は，アンプルの内壁と同径若しくは略同径で形成される。アンプル内を満たす流体は，可動栓３００により押し出され，分流面７２０に沿って，ブロック本体の外壁に形成された分流溝７１０に流れ込む。分流溝７１０は，直線的に形成されており，分流溝７１０とアンプルの内側壁の間に流体の流路が形成される。デフレクターブロック７００は，可動栓３００と接触した場合であっても破損することのないように，比較的弾力性の富むシリコーン樹脂により形成することとしてもよい。また，図１１（ｃ）に示すように，デフレクターブロック７００は，分流溝７１０が，比較的幅広となっているものであってもよい。すなわち，デフレクターブロック７００のブロック本体の外周面の表面積において，分流溝７１０の面積が，分流溝７１００以外の面積よりも広く取られた形状であってもよい。このように，分流溝７１０を比較的幅広とすることによって，分流溝７１０とアンプルの内壁の間を流通する壁流の流れを良くすることができ，アンプル内を満たす流体を勢い良く噴霧させることができる。
【００８１】
また，デフレクターブロック７００は，分流面７２０とは逆側の端部に，緩衝部３２０を有する。ピストン４００の移動に連動して可動栓３００が移動した場合，可動栓３００は，デフレクターブロック７００の分流面７２０と接触する。このとき，ピストン４００の移動の勢いが速いと，可動栓３００がデフレクターブロック７００と接触した際に，デフレクターブロック７００を押し込み，デフレクターブロック７００の先にある，流体吐出部２を破損させてしまう可能性がある。そこで，流体吐出部２の破損を防止するために，デフレクターブロック７００の先端に緩衝部７２０を設け，デフレクターブロック７００が流体吐出部２と接触したときの衝撃を緩和させることが好ましい。緩衝部３２０は，例えば，比較的弾力性の富むシリコーン樹脂により形成することとしてもよい。また，緩衝部３２０は，他の可塑性を有する素材で形成することとしてもよい。また，緩衝部３２０は，可動栓本体３１０から一段のみ突起する形状であってもよいし，図１０において示すような２段突起する形状，又は３段以上突起する形状としてもよい。また，緩衝部３２０は，ブロック本体と一体形成され，可動栓本体３１０を延伸することにより形成することとしてもよい。可動栓３００によりデフレクターブロック７００が押し込まれ，緩衝部３２０が流体吐出部材２００の流体吐出部２と接触すると，緩衝部３２０は，形成された素材の弾力性又は可塑性により撓むこととなる。これにより，デフレクターブロック７００が強く押し込まれた場合であっても衝撃を緩和させることができる。
【００８２】
流体放出装置１０００は，特に，無針注射器として機能することが好ましい。また，粘膜投与装置，特に経鼻投与装置として機能するものが好ましい。本発明の流体放出装置は，液状の薬剤に用いることもでき，粉末状の薬剤に用いることもできる。本発明の流体放出装置の好ましい利用態様は，ワクチンや制吐剤の投与に用いるものである。
【００８３】
（３−１．使用方法）
次に，本発明の流体放出装置の使用方法を説明する。すなわち，本発明は，上記した流体放出装置を用いた流体放出方法や，流体投与方法をも含む。
【００８４】
先に説明したとおり，アンプル１，流体吐出部材２００及び可動栓３００は，流体を収容したアンプル容器として機能する。流体吐出部材２００が，アンプル１側に押し込まれないように，流体吐出部材２００の先端には保護部４が取り付けられているため，アンプル１内の流体は，アンプル外部に吐出することはない。
【００８５】
本発明の流体放出装置１０００は，例えば，樹脂又はガラスを用いて製造できる。また，例えば，アンプル１をガラスで製造し，それ以外の部分を樹脂で製造しても良い。また，バネを金属やセラミックスにより製造しても良い。形状の設計が終わった後は，各種金型や鋳型を用いて各要素を製造することにより，流体放出装置１０００を得ることができる。すなわち，公知の注射器やアンプルの製造方法を適宜修正することで，流体放出装置を製造できる。
【００８６】
流体放出装置１０００を使用する際には，流体吐出部材１００の保護部４を取り外される。すなわち，保護部４は，胴体部がねじ切るようにして取り外されることとしてもよいし，保護部４の中心軸に対し横方向からの力が加えられた際に壁かい性により取り外されることとしてもよい。本発明の流体吐出部材１００の場合，保護部４が取り外された面，すなわち連結部５が破損させられることによって生じた面が直接患者の皮膚に触れることはないため，取り外された面が完全に美麗なものである必要はない。保護部４が取り外されることにより，流体吐出部材１００の露出部２１が露出され，流路２２が開放される。
【００８７】
そして，たとえば，中指と人差し指とをウイングに置き，親指をピストン台４０２に置き，ピストン台４０２を押すように親指に力を与えることで，可動栓３００に勢いが与えられる。すると，可動栓３００が移動する。可動栓３００が移動すると，アンプル１内に収容された流体が，流体吐出部材１００の流体吐出口２３から放出される。このようにして，流体が流体放出装置１０００から放出される。流体が流体放出装置１０００から放出される際に，一点に集中して放出されるか，又は比較的広範囲に噴霧されるかは，概ね，流体吐出部材１００の構造によって決まる。
【図１】
0005870365.tif 000002
【図２】
0005870365.tif 000003
【図３】
0005870365.tif 000004
【図４】
0005870365.tif 000005
【図５】
0005870365.tif 000006
【図６】
0005870365.tif 000007
【図７】
0005870365.tif 000008
【図８】
0005870365.tif 000009
【図９】
0005870365.tif 000010
【図１０】
0005870365.tif 000011
【図１１】
0005870365.tif 000012